(57)【要約】【課題】アルデヒド類、ＶＯＣ等の有害化学物質で汚染されている部位を短時間で精度良く特定していくことができる汚染部位の特定装置を提供する。【解決手段】ヒーター８が備えられ、収集容器２の凹所３内に面する汚染部位特定対象部６を加熱できるようになされている。更に、収集容器２に吸込口１０と吹出口１１とが設けられ、収集容器２の外で両口１０，１１がチューブ１２で連通状態に接続され、チューブ１２内に収集容器２内の空気を循環させるファン１３が備えられると共に、空気の循環経路に有害化学物質検知器１４が備えられている。【選択図】      図１
2004301603.tif 000002
【特許請求の範囲】
【請求項１】
凹所を備え、該凹所の開口周縁部を汚染部位特定対象部に対する当接部とし、該当接部を汚染部位特定対象部に当接させることにより、汚染部位特定対象部が汚染部位である場合に、凹所内空間部に有害化学物質が収集されるようになされた収集容器と、
該収集容器の当接部を汚染部位特定対象部に当接させた状態で、収集容器の凹所内に面する汚染部位特定対象部を加熱するヒーターと
が備えられていることを特徴とするホルムアルデヒド等の有害化学物質による汚染部位の特定装置。
【請求項２】
収集容器に設けられた吸込口及び吹出口と、
収集容器の外で両口を連通状態に接続するチューブと、
チューブ内に容器内の空気を循環させる送風手段と、
空気の循環経路に設けられた有害化学物質検知手段と
が備えられている請求項１に記載のホルムアルデヒド等の有害化学物質による汚染部位の特定装置。
【発明の詳細な説明】
【０００１】
【発明の属する技術分野】
本発明は、ホルムアルデヒド等の有害化学物質による汚染部位の特定装置に関する。
【０００２】
【従来の技術及び課題】
新築住宅等の建物において、アルデヒド類、ＶＯＣ等の有害化学物質で汚染されている部位がどこであるのかを特定することが必要となる場合があるが、汚染部位からは有害化学物質がゆっくりと放散されるため、汚染部位の特定を短時間で精度良く行っていくのが難しいという問題があった。
【０００３】
本発明は、このような問題点に鑑み、アルデヒド類、ＶＯＣ等の有害化学物質で汚染されている部位を短時間で精度良く特定していくことができる汚染部位の特定装置を提供することを課題とする。
【０００４】
【課題を解決するための手段】
上記の課題は、凹所を備え、該凹所の開口周縁部を汚染部位特定対象部に対する当接部とし、該当接部を汚染部位特定対象部に当接させることにより、汚染部位特定対象部が汚染部位である場合に、凹所内空間部に有害化学物質が収集されるようになされた収集容器と、
該収集容器の当接部を汚染部位特定対象部に当接させた状態で、収集容器の凹所内に面する汚染部位特定対象部を加熱するヒーターと
が備えられていることを特徴とするホルムアルデヒド等の有害化学物質による汚染部位の特定装置によって解決される。
【０００５】
この特定装置では、収集容器の凹所内に面する汚染部位特定対象部を加熱するヒーターが備えられているので、汚染部位特定対象部が有害化学物質で汚染されている場合には、このヒーターによる加熱で汚染部位特定対象部からの有害化学物質の放散が促進され、それによって、収集容器の凹所内に収集される有害化学物質の濃度が高められ、汚染部位を短時間で精度良く特定していくことができる。
【０００６】
上記の特定装置において、収集容器に設けられた吸込口及び吹出口と、
収集容器の外で両口を連通状態に接続するチューブと、
チューブ内に容器内の空気を循環させる送風手段と、
空気の循環経路に設けられた有害化学物質検知手段と
が備えられているとよい。
【０００７】
この場合、空気は、収集容器の凹所内とチューブ内とで構成される閉回路を送風手段によって循環し、室内に放出されることもなければ室内から供給されることもないので、収集容器の凹所内の空気中に含まれる有害化学物質の量を短時間で増加させることができ、汚染部位特定対象部が汚染部位であるのか、ないのかを有害化学物質検知手段によって短時間で精度良く特定することができる。しかも、検出器は収集容器の外に備えて検出を行うようにしているので、汚染部位の特定作業を容易に行っていくことができる。
【０００８】
【発明の実施の形態】
次に、本発明の実施形態を図面に基づいて説明する。
【０００９】
図１（イ）（ロ）に示す実施形態の汚染部位特定装置１において、２は収集容器であり、この収集容器２は、下向きに開口する凹所３を備えたボックス型のもので、ホルムアルデヒド等の有害化学物質を吸着させない、例えばステンレスなどからなり、下端開口部４の周縁部５を汚染部位特定対象部に対する当接部とし、同図（ロ）に示すように、該開口周縁部５を、床面６などの汚染部位特定対象部に当接させることにより、汚染部位特定対象部６が汚染部位である場合に、凹所３内の空間部に有害化学物質が収集されるようになされている。なお、当接部としての下端開口周縁部には汚染部位特定対象部６の傷つきを防ぎ、同周縁部と汚染部位特定対象部との間の隙間をなくすためのパッド７が備えられているとよい。
【００１０】
そして、この収集容器２の周壁部分と天面部分にはヒーター８…が設けられ、収集容器２の下端開口周縁部５を汚染部位特定対象部６に当接させた状態で、収集容器２の凹所３内に面する汚染部位特定対象部６を加熱することができるようになされている。ヒーター８は、例えば面状ヒーターなどからなり、収集容器２が熱伝導性の良いものであれば、図示するように、収集容器２の外面部に設けるとよく、その外側に断熱材９を設置すると熱の逃げを少なくすることができる。なお、ヒーター８は収集容器２の内面側に設けるようにしてもよいし、また、面状ヒーターに限らず、ハロゲンヒーターなど、電気式であるか否かを問わず、各種のヒーターが用いられてよい。
【００１１】
更に、本実施形態では、収集容器２には、凹所３内の低所に位置して吸込口１０が設けられると共に、凹所３内の高所に位置して吹出口１１が設けられ、これら両口１０，１１が収集容器２の外でチューブ１２によって連通状態に接続されている。そして、該チューブ１２に介設された送風手段としてのファン１３を駆動することにより、収集容器２内の空気が吹出口１１を通じてチューブ１２内に送り込まれ、それが、吸込口１０を通じて再び収集容器２内に返流されるという、空気の循環流れが形成されるようになされている。また、チューブ１２には、有害化学物質検知手段としての検知器１４が介設され、この検知器１４によって、上記の循環して流れる空気中の有害化学物質が検知されるようになされている。
【００１２】
上記の汚染部位特定装置１では、収集容器２の下端開口部４の周縁部５を、図１（ロ）に示すように、汚染部位特定対象部である例えば床面６に当接させ、ヒーター８によって収集容器２の凹所３内に面する床面６を加熱すると共に、ファン１３を駆動すると、凹所３内に面する床面６が汚染部位であるならば、ヒーター８による加熱でこの床面６からの有害化学物質の放散が促進され、収集容器２の凹所３内に収集される有害化学物質の濃度が高くなり、検知器１４によってそれが検知され、この汚染部位特定対象部が汚染部位であることを特定することができる。
【００１３】
特に、本実施形態では、収集容器２の凹所３内の空気が、収集容器２の凹所３内とチューブ１２内とで構成される閉回路をファン１３によって循環するようになされていて、室内に放出されないようになされているので、収集容器２内の空気中に含まれる有害化学物質の濃度を短時間で高くすることができ、汚染部位特定対象部６が汚染部位であるのか、ないのかを短時間で精度良く特定することができる。
【００１４】
以上に、本発明の実施形態を示したが、本発明はこれに限られるものではなく、発明思想を逸脱しない範囲で各種の変更が可能である。例えば、上記の実施形態では、収集容器２の凹所３内の空気を閉回路内で循環させて有害化学物質の検知を行うようになされているが、検出器１４を収集容器２の凹所３内に設置することで有害化学物質の放散の有無を検知するようにしてもよいし、浄化フィルターに通した室内空気を収集容器２の凹所３内に取り込みつつ、収集容器２の凹所３内の空気を室内に排気し、その排気空気に含まれる有害化学物質を検知することで有害化学物質の放散の有無を検知するようにしてもよい。即ち、本発明では、収集容器２の凹所３内にヒーター８の加熱によって促進的に収集される有害化学物質の具体的検知方法に特段の制限はなく、種々の検知方法が採用されてよい。
【００１５】
また、本発明において、汚染部位特定対象部は床面に限らず、壁面や天井面、建具類、家具類などであってもよく、それに伴って、収集容器２の開口部４を横向きにしたり上向きにしたりして有害化学物質による汚染部位の特定を行っていくようにしてよいことはいうまでもない。
【００１６】
【発明の効果】
本発明は、以上のとおりのものであるから、アルデヒド類、ＶＯＣ等の有害化学物質で汚染されている部位を短時間で精度良く特定していくことができる。
【図面の簡単な説明】
【図１】実施形態の汚染部位特定装置の断面正面図である。
【符号の説明】
１…汚染部位特定装置
２…収集容器
３…凹所
４…開口部
５…周縁部（当接部）
６…床面（汚染部位特定対象部）
８…ヒーター
１０…吸込口
１１…吹出口
１２…チューブ
１３…ファン（送風手段）
１４…検知器（検知手段）
【図１】
2004301603.tif 000003